(57)【要約】【課題】  画像表示シートを筐体内に効率良く配置し、小型化を図る。【解決手段】  デジタルカメラ２のカメラボディ３は、グリップ部３ａ、引き出し通路部３ｂからなり、背面側には、電源ボタン１３、決定ボタン１４、モードボタン１５ａ，１５ｂ、引き込みレバー１６、電子式ファインダ１７が、上面にはレリーズボタン１９が設けられている。グリップ部３ａの内部には、電源となる電池２６、及びその周囲に巻き取られた状態で画像表示シート３０が収納されている。画像表示シート３０の使用時には、カメラボディ３の外部に引き出して画像を表示させる。画像表示シート３０が収納状態のとき、電子式ファインダ１７が起動状態、かつ画像表示シートが停止状態で、画像表示シート３０が引き出し状態のとき、電子式ファインダ１７が停止状態、かつ画像表示シートが起動状態となる。【選択図】        図６
2005278058.tif 000002
【特許請求の範囲】
【請求項１】
記憶媒体から読み出された画像データに基づく画像を表示する画像表示手段と、電源となる電池と、これらを支持する筐体とからなる携帯型電子機器において、
前記画像表示手段は、シート状で柔軟性を持つ画像表示シートであり、前記筐体は、その一方の側方部に筐体を保持するためのグリップ部が設けられ、さらにこのグリップ部の内部に、前記電池を入れる電池収納室、及び電池収納室の周囲に前記画像表示シートを巻き付けた状態で収納する表示シート収納室が設けられており、前記画像表示シートの使用時には、前記筐体から前記画像表示シートを引き出して使用することを特徴とする携帯型電子機器。
【請求項２】
前記画像表示シートを前記筐体の外部に引き出したときの最大長は、引き出し方向における前記筐体の寸法よりも長いことを特徴とする請求項１記載の携帯型電子機器。
【請求項３】
前記グリップ部の近傍に前記画像表示シートとは異なる小型画像表示手段を設け、前記画像表示シートが収納状態のときは、前記小型画像表示手段が使用状態、かつ前記画像表示シートが停止状態となり、前記画像表示シートが前記筐体から引き出された引き出し状態のときには、前記小型画像表示手段が停止状態、かつ前記画像表示シートが使用状態になることを特徴とする請求項１又は２記載の携帯型電子機器。
【請求項４】
前記画像表示シートは、その引き出し方向の先端部に、前記引き出し方向と直交する幅方向に沿って配置され、画像表示シートに平面性を持たせる支持部材を設けていることを特徴とする請求項１ないし３いずれか記載の携帯型電子機器。
【請求項５】
前記画像表示シートの引き出し量に応じて、表示する画像の枚数、又は画像の表示サイズを変更することを特徴とする請求項１ないし４いずれか記載の携帯型電子機器。
【請求項６】
前記筐体から外部へ前記画像表示シートが引き出される引き出し口の周囲には、この引き出し口を開閉し、開き位置にあるときには前記引き出し口を露呈させ、閉じ位置にあるときには前記引き出し口を密閉する引き出し開閉蓋、又は柔軟性を持ち、前記画像表示シートの不使用時には前記引き出し口を遮蔽し、前記画像表示シートの使用時には変形して画像表示シートを引き出し可能とする遮蔽部材を配置するとともに、前記グリップ部に開閉自在に設けられ、開き位置にあるときにはグリップ部内部を外部に露呈し、閉じ位置にあるときにはグリップ部内部を密閉するグリップ部蓋を設けていることを特徴とする請求項１ないし５いずれか記載の携帯型電子機器。
【請求項７】
前記グリップ部を含む前記筐体の稜線部分に沿って連続して配置されている衝撃吸収部材を設けていることを特徴とする請求項１ないし６いずれか記載の携帯型電子機器。
【発明の詳細な説明】
【技術分野】
【０００１】
本発明は、画像データを読み出し、シート状の画像表示手段に画像を表示する携帯型電子機器に関する。
【背景技術】
【０００２】
近年、デジタルカメラや、携帯電話、ＰＤＡ（携帯型情報端末）、ポータブルＡＶプレーヤー（音楽や映像を再生する携帯型プレーヤー）などの携帯型電子機器が急速に普及してきている。これらの携帯型電子機器には、ＬＣＤ（液晶ディスプレイ）を代表とする画像表示手段が設けられているのが一般的である。
【０００３】
上述したような携帯型電子機器では、さらなる小型化の要求が高まってきており、従来の画像表示手段としてＬＣＤを用いたものでは、小型化を図ることが困難になってきている。そこで、例えば特許文献１，２に示すように、有機ＥＬ（エレクトロルミネッセンス）素子を用いた周知の有機ＥＬシートディスプレイを携帯用電子機器の画像表示手段として使用することが考えられている。
【０００４】
【特許文献１】特開２０００−１８０９３４号公報
【特許文献２】特開平１１−１４２１９０号公報
【発明の開示】
【発明が解決しようとする課題】
【０００５】
しかしながら、有機ＥＬシートディスプレイのような、シート状に形成された画像表示シートを携帯型電子機器に組み込むことは、これまで余り考えられていなかった。そこで、筐体内により効率良く画像表示シートを収納し、携帯型電子機器のさらなる小型化を図ることが望まれている。
【０００６】
また、このような携帯型電子機器は、鞄や衣服の中に入れられて様々な場所に持ち運ばれたり、室外などの環境で使用されることも多い。ところが、上述したような画像表示シートを組み込んだ場合の防水性、防塵性、及び耐衝撃性などの対策についてはあまり考えられていなかった。
【０００７】
本発明は、上記課題を鑑みてなされたものであり、画像表示シートを筐体内に効率良く配置し、小型化を図ることが可能であり、さらにまた優れた防水性、防塵性、及び耐衝撃性を有する携帯型電子機器を提供することを目的とする。
【課題を解決するための手段】
【０００８】
上記目的を達成するために、本発明は、記憶媒体から読み出された画像データに基づく画像を表示する画像表示手段と、電源となる電池と、これらを支持する筐体とからなる携帯型電子機器において、前記画像表示手段は、シート状で柔軟性を持つ画像表示シートであり、前記筐体は、その一方の側方部に筐体を保持するためのグリップ部が設けられ、さらにこのグリップ部の内部に、前記電池を入れる電池収納室、及び電池収納室の周囲に前記画像表示シートを巻き付けた状態で収納する表示シート収納室が設けられており、前記画像表示シートの使用時には、前記筐体から前記画像表示シートを引き出して使用することを特徴とする。
【０００９】
なお、前記画像表示シートを前記筐体の外部に引き出したときの最大長は、引き出し方向における前記筐体の寸法よりも長いことが好ましい。また、前記グリップ部の近傍に前記画像表示シートとは異なる小型画像表示手段を設け、前記画像表示シートが収納状態のときは、前記小型画像表示手段が使用状態、かつ前記画像表示シートが停止状態となり、前記画像表示シートが前記筐体から引き出された引き出し状態のときには、前記小型画像表示手段が停止状態、かつ前記画像表示シートが使用状態になることも効果的である。
【００１０】
さらにまた、前記画像表示シートは、その引き出し方向の先端部に、前記引き出し方向と直交する幅方向に沿って配置され、画像表示シートに平面性を持たせる支持部材を設けていることが好ましい。あるいは、前記画像表示シートの引き出し量に応じて、表示する画像の枚数、又は画像の表示サイズを変更することが好ましい。
【００１１】
なお、前記筐体から外部へ前記画像表示シートが引き出される引き出し口の周囲には、この引き出し口を開閉し、開き位置にあるときには前記引き出し口を露呈させ、閉じ位置にあるときには前記引き出し口を密閉する引き出し開閉蓋、又は柔軟性を持ち、前記画像表示シートの不使用時には前記引き出し口を遮蔽し、前記画像表示シートの使用時には変形して画像表示シートを引き出し可能とする遮蔽部材を配置するとともに、前記グリップ部に開閉自在に設けられ、開き位置にあるときにはグリップ部内部を外部に露呈し、閉じ位置にあるときにはグリップ部内部を密閉するグリップ部蓋を設けていることが好ましい。さらに、前記グリップ部を含む前記筐体の稜線部分に沿って連続して配置されている衝撃吸収部材を設けていることが好ましい。
【発明の効果】
【００１２】
本発明によれば、シート状で柔軟性を持つ画像表示シートを使用し、筐体の一方の側方部に、筐体を保持するためのグリップ部を設け、さらにこのグリップ部の内部に、電池を入れる電池収納室、及び電池収納室の周囲に画像表示シートを巻き付けた状態で収納する表示シート収納室を設けており、画像表示シートの使用時には、筐体から画像表示シートを引き出して使用しているので、画像表示シートを効率良く組み込みながら、携帯型電子機器の小型を図ることが可能となっている。
【００１３】
また、引き出し口を密閉する引き出し開閉蓋、又は遮蔽部材や、グリップ部内部を密閉するグリップ部蓋を設けているので、優れた防水性及び防塵性を持つことができ、さらにまたグリップ部を含む筐体の稜線部分に沿って連続して配置されている衝撃吸収部材を設けているので、耐衝撃性にも優れている。
【発明を実施するための最良の形態】
【００１４】
本発明を適用したデジタルカメラ（携帯型電子機器）の正面側及び背面側斜視図を図１及び図２に示す。このデジタルカメラ２のカメラボディ（筐体）３は、図３の上面図に示すように、一方の側方部に位置する円柱形状のグリップ部３ａと、他方側に位置する四角柱形状の引き出し通路部３ｂから形成されている。カメラボディ３の前面には、撮像レンズ１０、ストロボ発光窓１１が、背面側には、電源ボタン１３、決定ボタン１４、モードボタン１５ａ，１５ｂ、引き込みレバー１６、電子式ファインダ（小型画像表示手段）１７などが設けられている。電子式ファインダとしては、例えば周知のＬＣＤ( 液晶ディスプレイ) が使用される。またグリップ部３ａの上面には、レリーズボタン１９が設けられている。
【００１５】
デジタルカメラ２では、被写体の撮像を行う撮像モード、撮像した記録画像を再生表示する再生モードなどが選択可能となっている。これらのモードの切り替えは、例えば、モードボタン１５ａ，１５ｂを押圧操作することで行われる。
【００１６】
さらにカメラボディ３には、グリップ部３ａとは反対側に位置する引き出し通路部３ｂの側面に引き出し口２０が形成され、またこの引き出し口２０を開閉する引き出し開閉蓋２１が設けられている。引き出し開閉蓋２１は、引き出し通路部３ｂに対して開閉自在に取り付けられており、開き位置にあるときには引き出し口２０を露呈させ、閉じ位置にあるときには引き出し口２０を密閉する。
【００１７】
なお、引き出し開閉蓋２１の周縁部分には、図３に示すように、引き出し口２０と引き出し開閉蓋２１との隙間を塞ぐ弾性部材２２が設けられている。これによって、引き出し開閉蓋２１が閉じ位置にあるとき、引き出し口２０と引き出し開閉蓋２１との間が密閉され、高い防水性及び防塵性を持つことができる。弾性部材２２としては、例えばゴムや軟質樹脂などから形成される。
【００１８】
さらにカメラボディ３には、グリップ部３ａの内部に、電源用の電池２６を収納する電池収納室２７（図４参照）、及びこの電池収納室２７の周囲に位置する表示シート収納室２８（図４参照）が設けられている。また、グリップ部３ａの背面には、滑り止め用のリブ２９ａや突起部２９ｂなどが多数形成されている。
【００１９】
このデジタルカメラ２には、シート状で柔軟性を持つ画像表示シート３０が設けられている。画像表示シート３０としては例えば、有機ＥＬ（エレクトロルミネッセンス）素子を用いた周知の有機ＥＬシートディスプレイが使用される。この画像表示シート３０は、後述するように、再生モード下では、画像を再生するモニタとして、撮像モード下では、撮影画像のスルー画像表示を行うビューファインダとして使用されるものである。
【００２０】
さらに、画像表示シート３０は、図４に示すように、表示シート収納室２８の内部に設けられた巻き軸３１の周りに巻き付けられて表示シート収納室２８の内部に収納されている。巻き軸３１は、電池収納室２７の周りに回転自在に取り付けられている。この巻き軸３１には、例えばワンウェイクラッチを介して巻き取りモータ３２が接続されている。引き込みレバー１６を回転操作すると、モータ３２が回転駆動してワンウェイクラッチが接続状態となり、モータ３２の駆動が巻き軸３１に伝達され、巻き取り方向（図中時計方向）に回動する。これにより、画像表示シート３０は、巻き軸３１に巻き付けられ、表示シート収納室２８に引き込まれる。また、画像表示シート３０が引き出されるときには、ワンウェイクラッチは解除状態となり、画像表示シート３０の引き出しに従動して巻き軸３１は引き出し方向( 図中反時計方向) に回動する。なお、画像表示シート３０をグリップ部３ａ内部に巻き取るための駆動源としてはモータ３２に限らず、例えば、ねじりコイルバネなどをグリップ部３ａ内部に組み込み、巻き軸３１を巻き取り方向に回転させて画像表示シート３０を巻き取るようにしてもよい。
【００２１】
画像表示シート３０の使用時には、図５及び図６に示すように、引き出し開閉蓋２１を開き位置にし、画像表示シート３０をカメラボディ３の外部に引き出す。これによって、画像表示シート３０の表示画面３０ａ〜ｃが露呈する。そして、画像表示シート３０の不使用時には、巻き軸３１に画像表示シート３０を巻き付けて表示シート収納室２８の内部に収納し、引き出し開閉蓋２１を閉じ位置にする。
【００２２】
この画像表示シート３０は、図５に示すように、カメラボディ３の外部に引き出されたとき、その最大長ＬMAX が、カメラボディ３の横幅（画像表示シート３０の引き出し方向における寸法）ＷB よりも大きくなっている。これにより、本実施形態においては、カメラボディ３の横幅よりも大きなサイズの画像表示手段を配置することが可能となっている。また、画像表示シート３０は、その背面側に、複数の表示画面３０ａ〜ｃが設けられている。本実施形態においては、この表示画面３０ａ〜ｃの各コマに画像を表示させることができる。なお、本実施形態においては、画像表示シートに３つの表示画面を設けているが、表示画面の個数はこれに限るものではない。
【００２３】
さらに、画像表示シート３０には、その引き出し方向の先端部に、支持部材３３が設けられている。支持部材３３は、画像表示シート３０の引き出し方向に直交する幅方向に沿って配置され、画像表示シート３０を支持する。この支持部材３３によって、画像表示シート３０は平面性を持つことが可能となり、カメラボディ３の外部に画像表示シート３０が引き出されたときに、平面性を持った表示画面３０ａ〜ｃに画像を表示することができる。
【００２４】
また、グリップ部３ａの底面には、図３の底面図に示すように、電池収納室蓋（グリップ部蓋）３６が設けられている。この電池収納室蓋３６は、グリップ部３ａに対して開閉自在に取り付けられ、開き位置にあるときには電池収納室２７を外部に露呈し、閉じ位置にあるときには電池収納室２７を密閉する。なお、この電池収納室蓋３６にも、上記引き出し開閉蓋２１と同様に、その周縁部に隙間を塞ぐための弾性部材３７が設けられている。これによって、電池収納室蓋３６が閉じ位置にあるときにグリップ部３ａの内部を密閉し、高い防水性及び防塵性を持つことができる。なお、この弾性部材３７としては、Ｏリングなどのゴム、又は軟質樹脂などから成形されたものが好ましい。
【００２５】
さらにまた、カメラボディ３には、グリップ部３ａ及び引き出し通路部３ｂの稜線に沿って連続するように配置された衝撃吸収部材３９が設けられている。衝撃吸収部材３９は、断面が円形状のパイプ型に形成されている、カメラボディ３の全体に渡って配置されている。
【００２６】
図４は、デジタルカメラ２の電気的構成を示すブロック図である。撮像レンズ１０の背後には、ＣＣＤイメージセンサやＣＭＯＳイメージセンサなどから構成された固体撮像素子４１が配置されている。撮像レンズ１０を透過した被写体光が、固体撮像素子４１によって撮像信号に変換される。固体撮像素子４１は、ドライバ４２及びタイミングジェネレータ４３を介して、デジタルカメラ２の全体を制御するＣＰＵ４４に接続されている。このＣＰＵ４４が、ドライバ４２及びタイミングジェネレータ４３を制御して固体撮像素子４１が駆動される。
【００２７】
この固体撮像素子４１から出力された撮像信号は、相関二重サンプリング回路（ＣＤＳ）４５に入力される。ＣＤＳ４５は、固体撮像素子４１から入力された撮像信号を、固体撮像素子４１の各セルの蓄積電荷量に正確に対応したＲ、Ｇ、Ｂの画像データとして出力する。ＣＤＳ４５から出力された画像データは、増幅器（ＡＭＰ）４６で増幅される。Ａ／Ｄ変換器４７は、ＡＭＰ４６で増幅された画像データをデジタルの画像データに変換する。Ａ／Ｄ変換器４７から出力されたデジタルの画像データは、画像信号処理回路４８に送信される。
【００２８】
画像信号処理部４８は、データバス４９を介してＣＰＵ４４に接続されている。ＣＰＵ４４は画像信号処理部４８を制御して階調変換、ホワイトバランス補正、γ補正処理などの各種画像処理を画像データに施す。さらに画像信号処理部４８には、データバス４９を介してビデオメモリ５０及びバッファメモリ５１が接続されている。ビデオメモリ５０は、電子式ファインダ１７又は画像表示シート３０をビューファインダとして使用する際に、画像信号処理部４８から送られた解像度の低い画像データが一時的に記録される。ビデオメモリ５０に記録された画像データは、データバス４９を介してディスプレイドライバ５２又は５３に送信され、電子式ファインダ１７又は画像表示シート３０に表示される。バッファメモリ５１は、撮像された高解像度のデータが一時的に記録される。このバッファメモリ５１から読み出された画像データは、データバス４９を解して接続されている圧縮・伸張処理部５４により、ＪＰＥＧ等の圧縮方式により圧縮される。圧縮された画像データは、ＣＰＵ４４がメディアコントローラ５５を制御してメモリカード５６に記録される。
【００２９】
また、ＣＰＵ４４には、モータドライバ５８、引き出し量算出部５９が接続されている。モータドライバ５８は、巻き軸３１に接続されたモータ３２の回転駆動を制御する。引き出し量算出部５９は、巻き軸３１に内蔵されたエンコーダ６１に接続されている。エンコーダ６１は、巻き軸３１の回転量を検出して引き出し量算出部５９に送り、引き出し量算出部５９は巻き軸３１の回転量から画像表示シート３０の引き出し長さＬを算出する。
【００３０】
さらにまた、ＣＰＵ４４には、レリーズボタン１９、決定ボタン１４、モードボタン１５ａ，１５ｂ、引き込みレバー１６、及び電源ボタン１３が接続されている。ＣＰＵ４４は、これらの操作によってユーザーからの指令を取得する。ユーザーから記録画像の再生命令を取得した場合には、ＣＰＵ４４は、メディアコントローラ５５を制御してメモリカード５６から画像データを読み出す。ＣＰＵ４４は、ディスプレイドライバ５２又は５３を制御して伸張された画像データに基づく画像を電子式ファインダ１７又は画像表示シート３０に表示させることができる。
【００３１】
このデジタルカメラ２では、電子式ファインダ１７又は画像表示シート３０のうち、いずれか一方を起動状態、かつ他方を停止状態として、起動状態となっている一方のみを使用して、撮像モード下でのスルー画像表示、及び再生モード下での画像再生表示を行う。この電子式ファインダ１７と、画像表示シート３０との起動状態・停止状態の切り換えは、画像表示シート３０の引き出し操作に連動して行われる。すなわち、画像表示シート３０が表示シート収納室２８の内部に巻き取られた収納状態のときには、画像表示シート３０が停止状態、かつ電子式ファインダ１７が起動状態となるようにＣＰＵ４４がディスプレイドライバ５２，５３を制御する。そして、画像表示シート３０が引き出されたとき、ＣＰＵ４４は、引き出し量算出部５９が算出した引き出し量から、画像表示シート３０が引き出されていることを検出し、この画像表示シート３０の引き出しが検出されたときに、画像表示シート３０が起動状態、かつ電子式ファインダ１７が停止状態となるようにディスプレイドライバ５２，５３の制御状態を切り換える。さらに、引き出された画像表示シート３０は、引き込みレバー１６の操作によってモータ３２が駆動されて巻き軸３１が巻き取り方向に回転すると、巻き軸３１に巻き取られて収納状態となる。このとき、引き出し量算出部５９が、画像表示シート３０の収納状態（引き出し量が０）であることを検出すると、ＣＰＵ４４は、画像表示シート３０を停止状態とし、電子式ファインダ１７を起動状態にする。
【００３２】
さらにデジタルカメラ２では、画像表示シート３０を引き出した引き出し量Ｌに応じて表示される画像の個数が変化する。すなわち、図５（Ａ）及び図６（Ａ）に示すように１画面分の引き出し量ＬMIN だけ画像表示シート３０を引き出したときには、１つの表示画面３０ａのみが起動状態となって１つの画像が表示される。そして２画面分の引き出し量となったときには、２つの表示画面３０ａ，３０ｂが起動状態となって２つの画像が表示される。さらに引き出し量が最大のＬMAX になったときは、図５（Ｂ）及び図６（Ｂ）に示すように全ての表示画面３０ａ〜ｃが起動状態となって、この表示画面３０ａ〜ｃにそれぞれ画像が表示される。
【００３３】
上記構成の作用について図７のフローチャートに基づいて説明する。まず、モードボタン１５ａ，１５ｂの操作によって再生モード、撮像モードのいずれかを選択する。そして、ユーザーは、周囲の撮影環境に応じて画像表示シート３０を引き出し状態とするか、それとも収納状態とするかを選択する。このとき、人ごみの中など、画像表示シート３０の引き出し操作がしにくいときなどには、収納状態のままとし、室外などで動きやすい場所のときには、引き出し状態とすればよい。
【００３４】
そして画像表示シート３０を引き出し状態とすると、上述したように画像表示シート３０が起動状態となり、電子式ファインダ１７が停止状態となる。その後、撮像モードが選択されているときには、画像表示シート３０にはスルー画像が表示され、使用者はこれを見ながらフレーミングし、レリーズボタン１９を押圧する。レリーズボタン１９が押圧されると、メモリカード５６に画像データが記憶されて一回の撮像が終了する。なお、再生モードが選択されているときには、メモリカード５６に記憶された画像が読み出されて、画像表示シート３０に画像が再生表示される。
【００３５】
また、画像表示シート３０が収納状態にあるときには、上述したように、電子式ファインダ１７が起動状態、かつ画像表示シート３０が停止状態となっており、撮像モード下では、電子式ファインダ１７に表示されたスルー画像を見ながら撮像を行い、再生モード下では、再生画像が電子式ファインダ１７に表示されることになる。
【００３６】
このようにして、デジタルカメラ２では、画像表示シート３０を引き出し状態、又は収納状態として使用することが可能であり、さらに画像表示シート３０が収納状態のときには、電子式ファインダ１７を使用し、引き出し状態のときには、画像表示シート３０を使用するように、制御が切り換えられているので、撮影環境に応じてデジタルカメラ２の使用形態を変化させて使用できるようになっており、さらに画像表示シート３０の収納状態ではデジタルカメラ２はコンパクトで携帯性に優れた状態となり、また、引き出し状態では、カメラボディ３よりも大きな画像表示シート３０の表示画面に画像を表示できるので、画像が見やすくなり、撮像時のフレーミングや、再生時の画像の確認などに非常に便利である。
【００３７】
上記実施形態においては、画像表示シート３０の引き出し量に応じて画像を表示する表示画面の数が変更するように制御されているが、本発明はこれに限らず、画像表示シート３０の引き出し量に応じて画像の表示サイズを変更するようにしてもよい。すなわち、この場合、図８（Ａ）に示す通常の引き出し量Ｌ1 だけ画像表示シート３０を引き出されたときには、通常画面サイズ３０ｄで画像が表示され、さらに画像表示シート３０を引き出して、引き出し量がＬ2 （Ｌ2 ＞Ｌ1 ）になったときは、横長のワイド画面サイズ３０ｅで画像が表示されるように画像表示シート３０の表示内容を切り換える。なお、この場合、例えば通常画面サイズはいわゆるハイビジョンサイズ（アスペクト比が９：１６）で、ワイド画面サイズはパノラマサイズ（アスペクト比が１：３）というように設定し、この比率に応じた引き出し長さになったとき、表示を切り換えるようにしてもよい。
【００３８】
上記実施形態においては、画像表示シート３０の引き出し口２０を密閉する部材としてカメラボディ３に開閉自在に取り付けられた引き出し開閉蓋を設けているが、これに限らず、例えばこの開閉蓋の代わりに、柔軟性を持つ弾性材料から形成され、画像表示シート３０の不使用時には引き出し口２０を遮蔽し、画像表示シート３０の使用時には弾性変形して画像表示シート３０を引き出し可能とするテレンプのような遮蔽部材を設けてもよい。
【００３９】
上記実施形態では、携帯型電子機器としてデジタルカメラを例示して説明したが、本発明はこれに限定されず、他の携帯型電子機器、例えばパーソナルコンピュータや、カメラ付き携帯電話、携帯型情報端末（ＰＤＡ）、パーソナルＡＶプレーヤなどにも適用することができる。
【図面の簡単な説明】
【００４０】
【図１】本発明を適用したデジタルカメラの正面側外観斜視図である。
【図２】本発明を適用したデジタルカメラの背面側外観斜視図である。
【図３】本発明を適用したデジタルカメラの上面図及び底面図である。
【図４】デジタルカメラの電気的構成を示すブロック図である。
【図５】画像表示シートの引き出し長さ及び表示内容を切り換えるときの説明図である。
【図６】画像表示シートの引き出し長さ及び表示内容を切り換えるときのデジタルカメラの斜視図である。
【図７】デジタルカメラの撮影時におけるシーケンスを説明するフローチャートである。
【図８】図５とは異なる方式で画像表示シートの引き出し長さ及び表示内容を切り換えるときの説明図である。
【符号の説明】
【００４１】
２  デジタルカメラ
３  カメラボディ
３ａ  グリップ部
１７  電子式ファインダ
３０  画像表示シート
【図１】
2005278058.tif 000003
【図２】
2005278058.tif 000004
【図３】
2005278058.tif 000005
【図４】
2005278058.tif 000006
【図５】
2005278058.tif 000007
【図６】
2005278058.tif 000008
【図７】
2005278058.tif 000009
【図８】
2005278058.tif 000010